(57)【要約】【課題】縦線材又は横線材の回転挙動を抑制することで、メッシュパネルの形態安定性を向上させることのできるメッシュパネル及びフェンスを提供する。【解決手段】縦線材２と横線材３とが編み合わされたメッシュパネル１に関する。縦線材２と、縦線材２と交差する横線材３とを備え、縦線材２及び横線材３の少なくとも一方は、縦線材２と横線材３との交差部７で、奥行方向Ｚの長さより幅方向Ｂの長さの方が長い略扁平断面形状に形成される。【選択図】図１
2014173240.tif 000002
【特許請求の範囲】
【請求項１】
縦線材と横線材とが編み合わされたメッシュパネルであって、
縦線材と、前記縦線材と交差する横線材とを備え、
前記縦線材及び前記横線材の少なくとも一方は、前記縦線材と前記横線材との交差部で、奥行方向の長さより幅方向の長さの方が長い略扁平断面形状に形成されること
を特徴とするメッシュパネル。
【請求項２】
正面視における左端部、右端部、上端部及び下端部に、前記縦線材と前記横線材との交差部で前記略扁平断面形状に形成された前記縦線材及び前記横線材が設けられること
を特徴とする請求項１に記載のメッシュパネル。
【請求項３】
前記縦線材及び前記横線材の少なくとも一方は、前記縦線材又は前記横線材の長手方向の全長に亘って、前記略扁平断面形状に形成されること
を特徴とする請求項１又は２に記載のメッシュパネル。
【請求項４】
前記略扁平断面形状は、略楕円形又は略小判形あるいは略長方形もしくは円弧部と弦部とで構成される略欠円形状であること
を特徴とする請求項１〜３の何れか１項に記載のメッシュパネル。
【請求項５】
前記縦線材及び前記横線材の何れか一方は、前記縦線材と前記横線材との交差部で、前記縦線材及び前記横線材の何れか他方と、奥行方向で離間されること
を特徴とする請求項１〜４の何れか１項に記載のメッシュパネル。
【請求項６】
前記縦線材及び前記横線材の何れか一方は、前記縦線材と前記横線材との交差部で、前記縦線材及び前記横線材の何れか他方と、上下方向及び左右方向で離間されるとともに、奥行方向で当接されること
を特徴とする請求項１〜４の何れか１項に記載のメッシュパネル。
【請求項７】
請求項１〜６の何れか１項に記載のメッシュパネルを面材とするフェンスであって、
前記メッシュパネルと、前記メッシュパネルが取り付けられる支柱とを備えること
を特徴とするフェンス。
【発明の詳細な説明】
【技術分野】
【０００１】
本発明は、縦線材と横線材とが編み合わされたメッシュパネル及びこのメッシュパネルを面材とするフェンスに関するものである。
【背景技術】
【０００２】
従来より、縦線材及び横線材にクリンプ線材が使用された金網のメッシュパネルが知られている（例えば、特許文献１参照）。また、複数の縦線材と複数の横線材とを交互に奥行方向で交差させたメッシュパネルが知られている（例えば、特許文献２参照）。
【０００３】
特許文献１に開示されたメッシュパネルは、曲線の波形状にクリンプされた線材が縦方向及び横方向に編み込まれ、縦線材と横線材との交差部にクリアランスが設けられることで、縦線材と横線材とを相対的に傾斜させることができ、縦線材と横線材との交差部における傾斜角度を可変としたものである。
【０００４】
特許文献２に開示されたメッシュパネルは、複数の縦線材と複数の横線材とが各線材ごとに交互に奥行方向で前後され、縦線材と横線材との交差部における互いに対向する部位で、縦線材及び横線材が凹状の段状に屈曲させて形成され、又は、波状に湾曲させて形成されるものであり、これらが縦方向及び横方向に編み込まれて構成されたものである。
【先行技術文献】
【特許文献】
【０００５】
【特許文献１】特開２００６−１５２６１６号公報
【特許文献２】特開２００２−８１２３１号公報
【発明の概要】
【発明が解決しようとする課題】
【０００６】
しかし、特許文献１に開示されたメッシュパネルは、縦線材と横線材との交差部にクリアランスが設けられることで、メッシュパネルの形態安定性が低下することになるという問題点があった。即ち、特許文献１に開示されたメッシュパネルは、クリアランスが設けられた面外方向に縦線材及び横線材が傾いて「歪み変形」することになり、また、縦線材及び横線材が長手方向の中心軸を中心として回転して「回転挙動」をするものとなるという問題点があった。
【０００７】
これに対して、特許文献２に開示されたメッシュパネルは、縦線材と横線材との交差部でクリアランスが設けられていないため、縦線材及び横線材が傾くことによる「歪み変形」をある程度は抑制することができるものとなるが、縦線材及び横線材の「回転挙動」については、これを十分に抑制することのできないものとなるという問題点があった。
【０００８】
即ち、特許文献２に開示されたメッシュパネルは、特に、メッシュパネルの左右端部及び上下端部の縦線材と横線材との交差部において、縦線材及び横線材の何れか一方が、縦線材及び横線材の何れか他方によって片持ち状態で支持されるため弾性変形しやすく、この弾性変形によって縦線材及び横線材が「回転挙動」をすることになり、縦線材と横線材とを交互に編み込んだ状態が容易に分解されるおそれがあるという問題点があった。
【０００９】
また、特許文献２に開示されたメッシュパネルは、縦線材と横線材とが交互に編み込まれた状態を分解させないために、特許文献２の図１、図２に示されるように、縦線材の上下端部及び横線材の左右端部を折り曲げる構成としている。
【００１０】
しかし、特許文献２に開示されたメッシュパネルは、この構成によると、縦線材の上下端部を折り曲げて横線材に係合させるとともに、横線材の左右端部を折り曲げて縦線材に係合させるため、縦線材と横線材とを編み込むほかに、縦線材及び横線材の両端部を折り曲げる工程が必要となる。このため、工程が複雑となることで生産性が著しく低下し、また、折り曲げた部分の線材の材料コストが増大することで経済性が著しく低下することになるという問題点があった。
【００１１】
そこで、本発明は、上述した問題点に鑑みて案出されたものであり、その目的とするところは、縦線材又は横線材の回転挙動を抑制することで、メッシュパネルの形態安定性を向上させることのできるメッシュパネル及びフェンスを提供することにある。
【課題を解決するための手段】
【００１２】
第１発明に係るメッシュパネルは、縦線材と横線材とが編み合わされたメッシュパネルであって、縦線材と、前記縦線材と交差する横線材とを備え、前記縦線材及び前記横線材の少なくとも一方は、前記縦線材と前記横線材との交差部で、奥行方向の長さより幅方向の長さの方が長い略扁平断面形状に形成されることを特徴とする。
【００１３】
第２発明に係るメッシュパネルは、第１発明において、正面視における左端部、右端部、上端部及び下端部に、前記縦線材と前記横線材との交差部で前記略扁平断面形状に形成された前記縦線材及び前記横線材が設けられることを特徴とする。
【００１４】
第３発明に係るメッシュパネルは、第１発明又は第２発明において、前記縦線材及び前記横線材の少なくとも一方は、前記縦線材又は前記横線材の長手方向の全長に亘って、前記略扁平断面形状に形成されることを特徴とする。
【００１５】
第４発明に係るメッシュパネルは、第１発明〜第３発明の何れかにおいて、前記略扁平断面形状は、略楕円形又は略小判形あるいは略長方形もしくは円弧部と弦部とで構成される略欠円形状であることを特徴とする。
【００１６】
第５発明に係るメッシュパネルは、第１発明〜第４発明の何れかにおいて、前記縦線材及び前記横線材の何れか一方は、前記縦線材と前記横線材との交差部で、前記縦線材及び前記横線材の何れか他方と、奥行方向で離間されることを特徴とする。
【００１７】
第６発明に係るメッシュパネルは、第１発明〜第４発明の何れかにおいて、前記縦線材及び前記横線材の何れか一方は、前記縦線材と前記横線材との交差部で、前記縦線材及び前記横線材の何れか他方と、上下方向及び左右方向で離間されるとともに、奥行方向で当接されることを特徴とする。
【００１８】
第７発明に係るフェンスは、第１発明〜第６発明の何れかのメッシュパネルを面材とするフェンスであって、前記メッシュパネルと、前記メッシュパネルが取り付けられる支柱とを備えることを特徴とする。
【発明の効果】
【００１９】
第１発明〜第６発明によれば、縦線材及び横線材の少なくとも一方が略扁平断面形状に形成されることで、円形断面形状に形成された場合と比較して、略扁平断面形状の中心点の移動距離となる線分を小さくすることができ、線分で示される回動可能領域を小さくして、縦線材及び横線材の回転挙動を抑制することが可能となる。
【００２０】
また、第１発明〜第６発明によれば、縦線材及び横線材が略扁平断面形状に形成されることで、縦線材及び横線材の回転挙動を抑制して、縦線材と横線材とが交互に編み込まれた状態が分解されることを回避することができ、メッシュパネルの形態安定性を向上させることが可能となる。
【００２１】
また、第１発明〜第６発明によれば、幅方向を長尺部として縦線材が略扁平断面形状に形成されるため、メッシュパネルの左右方向で互いに引き寄せられるように隣り合う縦線材が把持された場合に、幅方向の縦線材の変形を抑制することができ、縦線材の元となる線材の全体太さを太くすることなく、メッシュパネルの左右方向の変形に対する剛性を向上させることが可能となる。
【００２２】
さらに、第１発明〜第６発明によれば、傾斜地に設置される場合に、縦線材が上下方向に配向された状態で、横線材を上下方向に傾斜させることができ、メッシュパネルの左端部及び右端部を上下方向に相対移動させることで、縦線材と横線材とが互いに傾斜して交差した状態でメッシュパネルを配置することが可能となる。第１発明〜第６発明によれば、縦線材又は横線材が略扁平断面形状とされることで、縦線材と横線材との交差部で、メッシュパネルの奥行方向の厚みを薄くすることが可能となる。第１発明〜第６発明によれば、縦線材及び横線材の両端部を折り曲げる工程を必要とせずに製造することができるため、メッシュパネルの生産性を著しく向上させることができ、また、経済性を著しく向上させることが可能となる。
【００２３】
特に、第６発明によれば、落石又は小動物がメッシュパネルに衝突したときの衝撃荷重を、衝突した部位から周囲の縦線材又は横線材に分散させることができ、この衝撃荷重をメッシュパネル全体にスムーズに分散することが可能となる。第６発明によれば、線材の使用量を低減させることができ、メッシュパネルの製造における歩留まりを著しく向上させることが可能となる。
【００２４】
第７発明によれば、縦線材及び横線材の回転挙動を抑制させて、形態安定性を向上させたメッシュパネルを、平地や傾斜地に設置することが可能となる。
【図面の簡単な説明】
【００２５】
【図１】本発明に係るメッシュパネルを示す斜視図である。
【図２】本発明に係るメッシュパネルを示す正面図である。
【図３】本発明に係るメッシュパネルの左下端部を拡大した正面図である。
【図４】（ａ）は、本発明を適用したフェンスを示す正面図であり、（ｂ）は、その側面図である。
【図５】（ａ）は、本発明を適用したフェンスの上部胴縁を示す正面図であり、（ｂ）は、その側面図であり、（ｃ）、（ｄ）は、その連結前の状態を示す正面図である。
【図６】（ａ）は、本発明を適用したフェンスの支柱に上部胴縁が取り付けられた状態を示す正面図であり、（ｂ）は、その側面図であり、（ｃ）は、本発明を適用したフェンスの上部胴縁にメッシュパネルが取り付けられた状態を示す正面図である。
【図７】（ａ）は、本発明を適用したフェンスの図４に示すＶ部の金具を示す平面断面図であり、（ｂ）は、その正面図である。（ｃ）は、本発明を適用したフェンスの図４に示すＷ部の金具を示す平面断面図であり、（ｄ）は、その正面図である。
【図８】（ａ）は、本発明に係るメッシュパネルの第１実施形態における縦線材を示す側面図であり、（ｂ）は、その横線材を示す側面図である。
【図９】（ａ）は、本発明に係るメッシュパネルの第２実施形態における縦線材を示す側面図であり、（ｂ）は、その横線材を示す側面図である。
【図１０】（ａ）は、本発明に係るメッシュパネルの縦線材及び横線材における略楕円形の略扁平断面形状を示す断面図であり、（ｂ）は、その第１変形例における略小判形の略扁平断面形状を示す断面図である。
【図１１】（ａ）は、本発明に係るメッシュパネルの縦線材及び横線材の第２変形例における略長方形の略扁平断面形状を示す断面図であり、（ｂ）は、その第３変形例における略欠円形状の略扁平断面形状を示す断面図である。
【図１２】本発明に係るメッシュパネルの第１実施形態において横線材を傾斜させる前の状態を示す側面図である。
【図１３】本発明に係るメッシュパネルの第１実施形態において横線材を傾斜させる前の状態を示す平面図である。
【図１４】（ａ）は、本発明に係るメッシュパネルの第１実施形態における縦線材の回動可能領域を示す平面図であり、（ｂ）は、円形断面形状の縦線材の回動可能領域を示す平面図である。
【図１５】本発明に係るメッシュパネルの第２実施形態において横線材を傾斜させる前の状態を示す側面図である。
【図１６】本発明に係るメッシュパネルの第２実施形態において横線材を傾斜させる前の状態を示す平面図である。
【図１７】（ａ）は、本発明に係るメッシュパネルの第２実施形態における縦線材の回動可能領域を示す平面図であり、（ｂ）は、円形断面形状の縦線材の回動可能領域を示す平面図である。
【図１８】（ａ）は、本発明に係るメッシュパネルの平地に設置される状態を示す正面図であり、（ｂ）は、傾斜地に設置される状態を示す正面図である。
【図１９】本発明に係るメッシュパネルが把持される状態を示す正面図である。
【発明を実施するための形態】
【００２６】
以下、本発明を適用したメッシュパネル１を実施するための形態について、図面を参照しながら詳細に説明する。
【００２７】
本発明を適用したメッシュパネル１は、図１に示すように、複数の縦線材２と、縦線材２と交差する複数の横線材３とを備え、縦線材２と横線材３とが奥行方向Ｚで交互に組み合わされて、複数の縦線材２と複数の横線材３とが格子状に編み合わされる。
【００２８】
本発明を適用したメッシュパネル１は、例えば、図２に示すように、正面視で上端部１ａに２本１組の側部横線材３ａが設けられるとともに、下端部１ｂに２本１組の側部横線材３ａが設けられる。また、本発明を適用したメッシュパネル１は、左端部１ｃに２本１組の側部縦線材２ａが設けられるとともに、右端部１ｄに２本１組の側部縦線材２ａが設けられる。
【００２９】
本発明を適用したメッシュパネル１は、上端部１ａ及び下端部１ｂの側部横線材３ａと、左端部１ｃ及び右端部１ｄの側部縦線材２ａとで囲まれた長方形の枠が形成されるものである。本発明を適用したメッシュパネル１は、この長方形の枠の内側で、複数の中間部縦線材２ｂが左右方向Ｘに所定の間隔で編み合わされるとともに、複数の２本１組の中間部横線材３ｂが上下方向Ｙに所定の間隔で複数段に亘って編み合わされることで形成される。
【００３０】
本発明を適用したメッシュパネル１は、側部横線材３ａ及び中間部横線材３ｂと側部縦線材２ａ及び中間部縦線材２ｂとが、互いに絡み合うようにして編み込まれるものとなる。このとき、本発明を適用したメッシュパネル１は、図３に示すように、左端部１ｃの２本１組の側部縦線材２ａと、下端部１ｂの２本１組の側部横線材３ａとが直交するものとなる。
【００３１】
これにより、本発明を適用したメッシュパネル１は、２本１組の側部縦線材２ａと２本１組の側部横線材３ａとが、互いにずれないように絡み合って四方枠６が形成されるものとなり、また、２本１組の側部縦線材２ａと２本１組の中間部横線材３ｂとが、互いにずれないように絡み合って中間部四方枠６ａが形成されるものとなる。
【００３２】
本発明を適用したメッシュパネル１は、図２に示すように、メッシュパネル１の四隅に四方枠６が形成されることにより、メッシュパネル１の長方形の枠の四辺が安定して組み合わされることになる。本発明を適用したメッシュパネル１は、側部縦線材２ａ及び側部横線材３ａが、１本で１組であればよいが、２本以上を１組として隣り合うように配置されていればより望ましい。また、３本以上を１組として配置されても構わないが、２本１組乃至４本１組とされることが望ましい。
【００３３】
本発明を適用したメッシュパネル１は、メッシュパネル１の左端部１ｃ及び右端部１ｄに中間部四方枠６ａが形成されることにより、側部縦線材２ａに対して中間部横線材３ｂが安定して組み込まれるものとなる。本発明を適用したメッシュパネル１は、中間部横線材３ｂが、１本で１組であればよいが、２本以上を１組として隣り合うように配置されていればより望ましい。また、３本以上を１組として配置されても構わないが、２本１組乃至４本１組とされることが望ましい。
【００３４】
本発明を適用したメッシュパネル１は、例えば、図４に示すように、所定の間隔を空けて地盤９に立設された支柱８に取り付けられて、本発明を適用したフェンス１０の面材として用いられる。本発明を適用したメッシュパネル１は、側部縦線材２ａ及び中間部縦線材２ｂが下端部１ｂの側部横線材３ａより下方に延長されて、側部横線材３ａとともに地盤９に埋設される。支柱８は、地盤９に構築されたコンクリート基礎１１に支柱８の下端が埋設される。
【００３５】
本発明を適用したフェンス１０は、左右方向Ｘに隣り合う支柱８の間に架設された上部胴縁１２にメッシュパネル１の上端部１ａが固定されるとともに、断面ハット型の支柱８にメッシュパネル１の左端部１ｃ及び右端部１ｄが固定される。上部胴縁１２は、図５に示すように、例えば、アングル材が用いられる。本発明を適用したフェンス１０は、これに限らず、如何なる形状の上部胴縁１２が用いられてもよく、また、上部胴縁１２が用いられなくてもよい。
【００３６】
上部胴縁１２は、図５（ａ）、図５（ｂ）に示すように、図５（ｃ）に示す段差部のある一方の上部胴縁１２の端部に、図５（ｄ）に示す段差部のない他方の上部胴縁１２の端部を重ね合わせて固定ボルト１８で固定され、所定の長さに連続して連結される。
【００３７】
上部胴縁１２は、図６（ａ）に示すように、アングル材の垂直部が、支柱８において上向きに切り起こされた爪１３に係止される。上部胴縁１２は、図６（ｂ）に示すように、アングル材の水平部が、支柱８の上端を貫通する取り付けボルト１４の先端に設けられた胴縁取付金具１５で係止される。上部胴縁１２は、図６（ｃ）に示すように、２本１組の側部横線材３ａが、左右方向Ｘに隣り合う中間部縦線材２ｂの間で、上部胴縁１２の垂直部の内側に金網取付金具１６で押さえ付けられ、金網取付金具１６を貫通するボルト１７を介して固定される。
【００３８】
支柱８は、図４に示すＶ部、Ｗ部の金具を適宜に組み合わせることによって、メッシュパネル１の左端部１ｃ及び右端部１ｄを固定するものである。支柱８は、平地又は傾斜地の何れに本発明を適用したメッシュパネル１が設置される場合においても、図４に示すＶ部、Ｗ部の金具を用いた固定手段を共通に適用することができる。
【００３９】
Ｖ部の金具は、図７（ａ）、（ｂ）に示すように、断面ハット型の支柱８における両側の鍔部２５に、隣り合うメッシュパネル１の中間部横線材３ｂの端部と側部縦線材２ａとを重ね合わせて、押さえ金具１９で同時に押さえつけるものである。押さえ金具１９は、支柱８を抱持させたＵボルト２０の両端が長孔に挿通されてナット２１で締結されることで、メッシュパネル１の左端部１ｃ及び右端部１ｄが支柱８に固定されるものとなる。
【００４０】
Ｗ部の金具は、図７（ｃ）、（ｄ）に示すように、断面ハット型の支柱８における両側の鍔部２５に、隣り合うメッシュパネル１の中間部横線材３ｂの端部と側部縦線材２ａとを重ね合わせて、押さえ金具２２で同時に押さえつけるものである。押さえ金具２２は、断面ハット型の支柱８に貫通させた固定ボルト２３が長孔に挿通されてナット２４で締結されることで、メッシュパネル１の左端部１ｃ及び右端部１ｄが支柱８に固定されるものとなる。
【００４１】
本発明を適用したメッシュパネル１は、図８に示すように、第１実施形態において、縦線材２及び横線材３に凹部４と凸部５とが連続するように湾曲して設けられる。なお、縦線材２及び横線材３には、これに限らず、直線状の鋼材等に湾曲した凹部４又は凸部５が断続的に形成されることにより、凹部４又は凸部５と直線部とが交互に設けられてもよい。
【００４２】
本発明を適用したメッシュパネル１は、図９に示すように、第２実施形態において、縦線材２及び横線材３に凹部４と凸部５とが連続して直線状に設けられる。なお、縦線材２及び横線材３には、これに限らず、直線状の鋼材等を屈曲させて凹部４又は凸部５が断続的に形成されることにより、凹部４又は凸部５と直線部とが交互に設けられてもよい。
【００４３】
縦線材２及び横線材３は、図８、図９に示すように、鋼材を塑性変形させることによって、凹部４と凸部５とが交互に設けられてクリンプ加工された波状のものが用いられる。縦線材２及び横線材３は、隣り合う凹部４の頂部４ａと凸部５の頂部５ａとの間隔が、所定の１ピッチＰとなるように形成される。縦線材２及び横線材３は、これに限らず、鋼材等を弾性変形させながら編み合わせることによって、凹部４と凸部５とを交互に設けるものとしてもよい。ここで、波状の深さは、例えば、約３ｍｍ程度に設定される。
【００４４】
縦線材２及び横線材３は、図８、図９に示すように、長手方向Ｌで凹部４の略中央に頂部４ａが形成され、頂部４ａの両側に接触部４ｂが形成される。縦線材２及び横線材３は、長手方向Ｌで凸部５の略中央に頂部５ａが形成され、頂部５ａの両側に接触部５ｂが形成される。
【００４５】
縦線材２及び横線材３は、図１０（ａ）に示すように、幅方向Ｂに延びる長尺部７１と、奥行方向Ｚに延びる短尺部７２とを有する略楕円形の略扁平断面形状に形成される。縦線材２及び横線材３は、短尺部７２の奥行方向Ｚの長さより長尺部７１の幅方向Ｂの長さの方が長くなるように略扁平断面形状に形成される。ここで、例えば、長尺部７１は、約５ｍｍ程度、短尺部７２は、約３ｍｍ程度に設定される。
【００４６】
また、縦線材２及び横線材３は、第１変形例において、図１０（ｂ）に示すように、幅方向Ｂで直線状に延びる長尺部７１と、奥行方向Ｚで円弧状に延びる短尺部７２とを有する略小判形に形成され、短尺部７２の奥行方向Ｚの長さより長尺部７１の幅方向Ｂの長さの方が長くなるように略扁平断面形状に形成されてもよい。
【００４７】
また、縦線材２及び横線材３は、第２変形例において、図１１（ａ）に示すように、幅方向Ｂで直線状に延びる長尺部７１と、奥行方向Ｚで直線状に延びる短尺部７２とを有する略長方形に形成され、短尺部７２の奥行方向Ｚの長さより長尺部７１の幅方向Ｂの長さの方が長くなるように略扁平断面形状に形成されてもよい。
【００４８】
さらに、縦線材２及び横線材３は、第３変形例において、図１１（ｂ）に示すように、長尺部７１と短尺部７２とからなる円弧部７４と、長尺部７１からなる弦部７５とで構成される略欠円形状に形成され、短尺部７２の奥行方向Ｚの長さより長尺部７１の幅方向Ｂの長さの方が長くなるように略扁平断面形状に形成されてもよい。
【００４９】
本発明を適用したメッシュパネル１は、図１２、図１３、図１５、図１６に示すように、左右方向Ｘに隣り合う２本の縦線材２が、上下方向Ｙに１ピッチＰずらして配置されるとともに、上下方向Ｙに隣り合う２本の横線材３が、左右方向Ｘに１ピッチＰずらして配置される。このとき、本発明を適用したメッシュパネル１は、縦線材２の凹部４と横線材３の凸部５とが交差されるとともに、縦線材２の凸部５と横線材３の凹部４とが交差されて、縦線材２と横線材３との交差部７が形成されるものとなる。縦線材２及び横線材３の少なくとも一方は、図８、図９に示す長手方向Ｌの全長に亘って、略扁平断面形状に形成されるものであるが、これに限らず、縦線材２と横線材３との交差部７においてのみ、略扁平断面形状に形成されてもよい。
【００５０】
本発明を適用したメッシュパネル１は、第１実施形態において、図１２、図１３に示すように、凹部４及び凸部５が湾曲された縦線材２と横線材３とが用いられ、縦線材２と横線材３との交差部７で、縦線材２の凹部４の頂部４ａと横線材３の凸部５の頂部５ａとが、また、縦線材２の凸部５の頂部５ａと横線材３の凹部４の頂部４ａとが、奥行方向Ｚに所定の間隙Ｇ１で離間されてクリアランスを設けて配置される。
【００５１】
このとき、本発明を適用したメッシュパネル１は、第１実施形態において、縦線材２と横線材３との交差部７で、凹部４の頂部４ａと凸部５の頂部５ａとの間に所定の間隙Ｇ１が形成されるため、左右方向Ｘに隣り合う縦線材２が互いに接近しながら上下方向Ｙにずれることにより、凹部４の接触部４ｂと凸部５の接触部５ｂとが当接されるまで、横線材３を上下方向Ｙに傾斜させることが可能となる。
【００５２】
また、本発明を適用したメッシュパネル１は、第１実施形態において、横線材３を上下方向Ｙに傾斜させる前の状態で、図１４（ａ）に示すように、所定の間隙Ｇ１でクリアランスが設けられるため、縦線材２及び横線材３の少なくとも一方が、縦線材２と横線材３との交差部７で幅方向Ｂ及び奥行方向Ｚに回動することになる。このとき、縦線材２及び横線材３は、短尺部７２の奥行方向Ｚの長さより長尺部７１の幅方向Ｂの長さの方が長くなるように略扁平断面形状に形成されており、縦線材２又は横線材３の断面における中心点Ｃは、線分Ｓ１の範囲で移動することになる。
【００５３】
これに対して、従来のメッシュパネル９０は、図１４（ｂ）に示すように、縦線材９２及び横線材９３が円形断面形状に形成されており、縦線材９２及び横線材９３の少なくとも一方が、縦線材９２と横線材９３との交差部９７で幅方向Ｂ及び奥行方向Ｚに回動するときに、縦線材９２又は横線材９３の断面における中心点Ｃ´が、線分Ｓ２の範囲で移動することになる。
【００５４】
このとき、本発明を適用したメッシュパネル１は、第１実施形態において、図１４に示すように、縦線材２及び横線材３が略扁平断面形状に形成されることで、円形断面形状に形成された場合と比較して、中心点Ｃの移動距離となる線分Ｓ１を小さくすることができ、線分Ｓ１で示される回動可能領域を小さくして、縦線材２及び横線材３の回転挙動を抑制することが可能となる。
【００５５】
次に、本発明を適用したメッシュパネル１は、第２実施形態において、図１５、図１６に示すように、凹部４及び凸部５が直線状に設けられた縦線材２と横線材３とが用いられる。本発明を適用したメッシュパネル１は、縦線材２と横線材３との交差部７で、縦線材２及び横線材３における凹部４の頂部４ａと凸部５の頂部５ａとが、奥行方向Ｚで当接されるとともに、縦線材２及び横線材３における凹部４の接触部４ｂと凸部５の接触部５ｂとが、左右方向Ｘ及び上下方向Ｙに所定の間隙Ｇ２で離間されて配置される。
【００５６】
このとき、本発明を適用したメッシュパネル１は、第２実施形態において、縦線材２と横線材３との交差部７で、凹部４の頂部４ａと凸部５の頂部５ａとが左右方向Ｘ及び上下方向Ｙで略同一平面上となるように、縦線材２及び横線材３が配置される。また、本発明を適用したメッシュパネル１は、これに限らず、凹部４の一部と凸部５の一部とが重なり合うようにして、縦線材２と横線材３とが互いに絡み合うようにして編み込まれてもよい。
【００５７】
本発明を適用したメッシュパネル１は、第２実施形態において、縦線材２と横線材３との交差部７で、凹部４の接触部４ｂと凸部５の接触部５ｂとの間に所定の間隙Ｇ２が形成されるため、左右方向Ｘに隣り合う縦線材２が互いに接近しながら上下方向Ｙにずれることにより、凹部４の接触部４ｂと凸部５の接触部５ｂとが当接されるまで、横線材３を上下方向Ｙに傾斜させることが可能となる。
【００５８】
また、本発明を適用したメッシュパネル１は、第２実施形態において、横線材３を上下方向Ｙに傾斜させるときに、縦線材２と横線材３との交差部７で、凹部４の頂部４ａと凸部５の頂部５ａとが互いに奥行方向Ｚで当接されて適度に抵抗することになる。これにより、本発明を適用したメッシュパネル１は、凹部４の頂部４ａと凸部５の頂部５ａとの適度な抵抗により、横線材３が自重で傾斜することを防止することができ、手で力を加えたとき等に限って、横線材３を上下方向Ｙに傾斜させることが可能となる。
【００５９】
なお、本発明を適用したメッシュパネル１は、図１５、図１６に示すように、１ピッチＰを長く設定することで間隙Ｇ２を大きくすることができ、この間隙Ｇ２を大きくすることで、横線材３が上下方向Ｙに傾斜される傾動角度を大きくすることが可能となる。
【００６０】
本発明を適用したメッシュパネル１は、第２実施形態において、左右方向Ｘに隣り合う各々の縦線材２で、凹部４の頂部４ａと凸部５の頂部５ａとが奥行方向Ｚに離間されないように設けられるとともに、上下方向Ｙに隣り合う各々の横線材３で、凹部４の頂部４ａと凸部５の頂部５ａとが奥行方向Ｚに離間されないように設けられる。
【００６１】
このとき、本発明を適用したメッシュパネル１は、第２実施形態において、縦線材２と横線材３との交差部７で、縦線材２の凹部４及び凸部５と横線材３の凸部５及び凹部４とが奥行方向Ｚで互いに収まるように挟み込まれるものとなる。これにより、本発明を適用したメッシュパネル１は、縦線材２と横線材３とが互いに離間しにくいものとなり、メッシュパネル１の形態安定性が向上され、また、メッシュパネル１の美観を向上させることが可能となる。
【００６２】
また、本発明を適用したメッシュパネル１は、第２実施形態において、メッシュパネル１の形態安定性が向上するため、上端部１ａ、下端部１ｂ、左端部１ｃ及び右端部１ｄで、図２に示す四方枠６や中間部四方枠６ａが形成されない場合であっても、１本ずつの縦線材２及び横線材３を交差させるのみで、縦線材２と横線材３とが交互に編み込まれた状態を維持することができ、必ずしも２本１組の縦線材２及び横線材３を用いることが必要ないものとなる。
【００６３】
さらに、本発明を適用したメッシュパネル１は、第２実施形態において、凹部４の頂部４ａと凸部５の頂部５ａとが奥行方向Ｚで離間されないように設けられるため、落石又は小動物がメッシュパネル１に衝突したときの衝撃荷重を、衝突した部位から周囲の縦線材２又は横線材３に分散させることができ、この衝撃荷重をメッシュパネル１全体にスムーズに分散することが可能となる。
【００６４】
本発明を適用したメッシュパネル１は、第２実施形態において、図１５、図１６に示すように、縦線材２及び横線材３の各々について、凹部４の頂部４ａと凸部５の頂部５ａとを互いに略平行として、凹部４の頂部４ａ及び凸部５の頂部５ａが略直線状に形成される。このとき、縦線材２及び横線材３は、例えば、直径が約４ｍｍの直線状の断面略円形状の線材を、１ピッチＰが約１５ｍｍとなるようにプレス成形することにより製造される。
【００６５】
これにより、本発明を適用したメッシュパネル１は、第２実施形態において、略直線状に形成された凸部５の頂部５ａと凹部４の頂部４ａとが傾斜した線材により連続することで、縦線材２及び横線材３の各々を変化に富んだ形状にすることができ、メッシュパネル１の全体の美感を向上させることが可能となる。
【００６６】
本発明を適用したメッシュパネル１は、第２実施形態において、縦線材２及び横線材３の各々について、凹部４の頂部４ａ及び凸部５の頂部５ａが略直線状に形成されるため、線材の使用量を低減させることが可能となる。具体的には、平面視で所定の長さとなる縦線材２又は横線材３を得るために、波状の線材を用いる場合に比べて、約６．６％の線材の使用量を低減させるものとなる。
【００６７】
例えば、図２に示すメッシュパネル１の幅が約２．０ｍ、高さが約１．６ｍである場合は、４１本の縦線材２及び１０本の横線材３が用いられる。このとき、波状の線材を用いるときは、合計で約９３．４０ｍの直線状の線材を加工することが必要となるのに対して、凹部４の頂部４ａ及び凸部５の頂部５ａが略直線状に形成された縦線材２及び横線材３を用いるときは、合計で８７．２９ｍ分の直線状の線材を加工することで足りるものとなる。
【００６８】
これにより、本発明を適用したメッシュパネル１は、第２実施形態において、例えば、幅が約２．０ｍ、高さが約１．６ｍのメッシュパネル１に、４１本の縦線材２及び１０本の横線材３が用いられた場合に、波状の線材を用いるときに比べて、約６．１１ｍもの線材の使用量を低減させることができ、約６．６％もの線材の使用量を低減させて、メッシュパネル１の製造における歩留まりを著しく向上させることが可能となる。
【００６９】
本発明を適用したメッシュパネル１は、第２実施形態において、凹部４の頂部４ａと凸部５の頂部５ａとが奥行方向Ｚに離間されないように設けられているため、第１実施形態の図１４のような回動はおこらないかのようにみえる。しかし、第２実施形態であっても、縦線材２及び横線材３の何れか一方に大きな回動力が加わり、縦線材２及び横線材３の何れか他方が弾性変形することがある。つまり、横線材３を上下方向Ｙに傾斜させる前の状態で、図１７（ａ）に示すように、縦線材２及び横線材３の何れか一方が、縦線材２と横線材３との交差部７で、縦線材２及び横線材３の何れか他方を弾性変形させながら、幅方向Ｂ及び奥行方向Ｚに回動することがある。このとき、縦線材２及び横線材３は、短尺部７２の奥行方向Ｚの長さより長尺部７１の幅方向Ｂの長さの方が長くなるように略扁平断面形状に形成されており、縦線材２又は横線材３の断面における中心点Ｃは、線分Ｓ１の範囲で移動することになる。
【００７０】
これに対して、従来のメッシュパネル９０は、図１７（ｂ）に示すように、縦線材９２及び横線材９３が円形断面形状に形成されており、縦線材９２及び横線材９３の少なくとも一方が、縦線材９２と横線材９３との交差部９７で幅方向Ｂ及び奥行方向Ｚに回動するときに、縦線材９２又は横線材９３の断面における中心点Ｃ´が、線分Ｓ２の範囲で移動することになる。
【００７１】
このとき、本発明を適用したメッシュパネル１は、第２実施形態においても、図１７に示すように、縦線材２及び横線材３が略扁平断面形状に形成されることで、円形断面形状に形成された場合と比較して、中心点Ｃの移動距離となる線分Ｓ１を小さくすることができ、線分Ｓ１で示される回動可能領域を小さくして、縦線材２及び横線材３の回転挙動を抑制することが可能となる。
【００７２】
本発明を適用したメッシュパネル１は、第１実施形態及び第２実施形態の何れにおいても、平地に設置される場合に、図１８（ａ）に示すように、縦線材２と横線材３とが略直角に交差した状態で配置することが可能となる。
【００７３】
また、本発明を適用したメッシュパネル１は、傾斜地に設置される場合に、図１８（ｂ）に示すように、縦線材２が上下方向Ｙに配向された状態で、横線材３を上下方向Ｙに傾斜させることができ、メッシュパネル１の左端部１ｃ及び右端部１ｄを上下方向Ｙに相対移動させることで、縦線材２と横線材３とが互いに傾斜して交差した状態で配置することが可能となる。
【００７４】
さらに、本発明を適用したメッシュパネル１は、第１実施形態及び第２実施形態の何れにおいても、図１４、図１７に示すように、縦線材２及び横線材３が略扁平断面形状に形成されることで、縦線材２及び横線材３の回転挙動を抑制して、縦線材２と横線材３とが交互に編み込まれた状態が分解されることを回避することができ、メッシュパネル１の形態安定性を向上させることが可能となる。
【００７５】
このとき、本発明を適用したメッシュパネル１は、第１実施形態及び第２実施形態の何れにおいても、縦線材２及び横線材３の両端部を折り曲げる工程を必要とせずに、縦線材２と横線材３とを編み込むのみで製造することができるため、メッシュパネル１の生産性を著しく向上させることができ、また、線材を折り曲げて用いることによる材料コストの増大を抑制して、経済性を著しく向上させることが可能となる。
【００７６】
本発明を適用したメッシュパネル１は、平地や傾斜地に設置される場合に、図１９に示すように、隣り合う縦線材２が把持されて運搬、設置されるものとなる。このとき、本発明を適用したメッシュパネル１は、第１実施形態及び第２実施形態の何れにおいても、図１０、図１１に示すように、幅方向Ｂを長尺部７１として縦線材２が略扁平断面形状に形成されるため、隣り合う縦線材２が把持されて、互いに引き寄せられる左右方向Ｘに、略扁平断面形状の長尺部７１が配置されることになり、左右方向Ｘの縦線材２の変形を抑制することが可能となる。
【００７７】
これにより、従来の円形断面形状の線材は、線材そのものの太さを太くすることにより、左右方向Ｘの変形に対する剛性を向上させることが必要であったが、本発明を適用したメッシュパネル１は、左右方向Ｘに延びる略扁平断面形状に縦線材２が形成されるため、縦線材２の元となる線材の全体太さを太くすることなく、左右方向Ｘの変形に対する剛性を向上させることが可能となる。
【００７８】
また、本発明を適用したメッシュパネル１は、第１実施形態及び第２実施形態の何れにおいても、縦線材２及び横線材３の略扁平断面形状の向きを揃えて美観を向上させることが可能とるとともに、縦線材２の回転挙動を抑制して上部胴縁１２にメッシュパネル１を垂直に固定することが可能となる。
【００７９】
さらに、本発明を適用したメッシュパネル１は、縦線材２又は横線材３が略扁平断面形状とされることで、縦線材２と横線材３との交差部７で、メッシュパネル１の奥行方向Ｚの厚みを薄くすることが可能となる。特に、本発明を適用したメッシュパネル１は、縦線材２及び横線材３がともに略扁平断面形状とされる場合に、メッシュパネル１の奥行方向Ｚの厚みを薄くすることが可能となる。
【００８０】
本発明を適用したフェンス１０は、第１実施形態又は第２実施形態のメッシュパネル１が用いられることによって、縦線材２及び横線材３の回転挙動を抑制させて、形態安定性を向上させたメッシュパネル１を、平地や傾斜地に設置することが可能となる。
【００８１】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００８２】
１        ：メッシュパネル
１ａ      ：上端部
１ｂ      ：下端部
１ｃ      ：左端部
１ｄ      ：右端部
２        ：縦線材
２ａ      ：側部縦線材
２ｂ      ：中間部縦線材
３        ：横線材
３ａ      ：側部横線材
３ｂ      ：中間部横線材
４        ：凹部
４ａ      ：頂部（凹部）
４ｂ      ：接触部（凹部）
５        ：凸部
５ａ      ：頂部（凸部）
５ｂ      ：接触部（凸部）
６        ：四方枠
６ａ      ：中間部四方枠
７        ：交差部
７１      ：長尺部
７２      ：短尺部
７４      ：円弧部
７５      ：弦部
８        ：支柱
９        ：地盤
１０      ：フェンス
１１      ：コンクリート基礎
１２      ：上部胴縁
１３      ：爪
１４      ：取り付けボルト
１５      ：胴縁取付金具
１６      ：金網取付金具
１７      ：ボルト
１８      ：固定ボルト
１９      ：押さえ金具
２０      ：Ｕボルト
２１      ：ナット
２２      ：押さえ金具
２３      ：固定ボルト
２４      ：ナット
２５      ：鍔部
Ｂ        ：幅方向
Ｌ        ：長手方向
Ｘ        ：左右方向
Ｙ        ：上下方向
Ｚ        ：奥行方向
【図１】
2014173240.tif 000003
【図２】
2014173240.tif 000004
【図３】
2014173240.tif 000005
【図４】
2014173240.tif 000006
【図５】
2014173240.tif 000007
【図６】
2014173240.tif 000008
【図７】
2014173240.tif 000009
【図８】
2014173240.tif 000010
【図９】
2014173240.tif 000011
【図１０】
2014173240.tif 000012
【図１１】
2014173240.tif 000013
【図１２】
2014173240.tif 000014
【図１３】
2014173240.tif 000015
【図１４】
2014173240.tif 000016
【図１５】
2014173240.tif 000017
【図１６】
2014173240.tif 000018
【図１７】
2014173240.tif 000019
【図１８】
2014173240.tif 000020
【図１９】
2014173240.tif 000021